Podtech/llm-jp-corpus-v4-ja_patent huggingface dataset:
【手続補正書】
【提出日】平成27年4月1日(2015.4.1)
【手続補正１】
【補正対象書類名】特許請求の範囲
【補正対象項目名】全文
【補正方法】変更
【補正の内容】
【特許請求の範囲】
【請求項１】
印刷装置であって、
本体と、
前記印刷装置の前記本体における非透過性の扉および引き出しの少なくとも１つであって、前記非透過性の扉および引き出しによって前記印刷装置の前記本体の内部領域へのアクセスが可能になる、前記非透過性の扉および引き出しの少なくとも１つと、
前記印刷装置の前記本体内に位置し、前記印刷装置の動作を制御する、プロセッサと、
前記印刷装置の前記本体内に位置し、前記プロセッサに作動的に接続されており、前記非透過性の扉および引き出しが開いているときにのみ、見ることができるように位置付けられている、複数の内部グラフィック・ユーザ・インターフェース・ディスプレイと、
前記印刷装置の前記本体の前記内部領域に位置する複数の紙詰まり除去機構と、
を含み、
前記複数の内部グラフィック・ユーザ・インターフェース・ディスプレイは、前記複数の紙詰まり除去機構それぞれに隣接する位置にあり、
前記プロセッサは、前記複数の内部グラフィック・ユーザ・インターフェース・ディスプレイのうち、ユーザが操作すべき１つの紙詰まり除去機構の最も近くに位置する１つの内部グラフィック・ユーザ・インターフェース・ディスプレイのみを動作させるよう制御する、
ことを特徴とする、印刷装置。
【請求項２】
印刷装置であって、
本体と、
前記印刷装置の前記本体における非透過性の扉および引き出しの少なくとも１つであって、前記非透過性の扉および引き出しによって前記印刷装置の前記本体の内部領域へのアクセスが可能になる、前記非透過性の扉および引き出しの少なくとも１つと、
前記印刷装置の前記本体内に位置し、前記印刷装置の前記本体を介して媒体シートを移動させる媒体経路と、
前記印刷装置の前記本体内に位置し、前記媒体経路が前記媒体シートを供給する、マーキングエンジンと、
前記印刷装置の前記本体内に位置し、前記マーキングエンジンに効果的に接続され、前記印刷装置の動作を制御する、プロセッサと、
前記印刷装置の前記本体内に位置し、前記プロセッサに作動的に接続されており、前記非透過性の扉および引き出しが開いているときにのみ、見ることができるように位置付けられている、複数の内部グラフィック・ユーザ・インターフェース・ディスプレイと、
前記印刷装置の前記本体の前記内部領域に位置する複数の紙詰まり除去機構と、
を含み、
前記複数の内部グラフィック・ユーザ・インターフェース・ディスプレイは、前記複数の紙詰まり除去機構それぞれに隣接する位置にあり、
前記プロセッサは、前記複数の内部グラフィック・ユーザ・インターフェース・ディスプレイのうち、ユーザが操作すべき１つの紙詰まり除去機構の最も近くに位置する１つの内部グラフィック・ユーザ・インターフェース・ディスプレイのみを動作させるよう制御する、
ことを特徴とする、印刷装置。
【請求項３】
印刷装置であって、
本体と、
前記印刷装置の前記本体における非透過性の扉および引き出しの少なくとも１つであって、前記非透過性の扉および引き出しによって前記印刷装置の前記本体の内部領域へのアクセスが可能になる、前記非透過性の扉および引き出しの少なくとも１つと、
前記印刷装置の前記本体内に位置し、前記印刷装置の前記本体を介して媒体シートを移動させる媒体経路と、
前記印刷装置の前記本体内に位置し、前記媒体経路が前記媒体シートを供給する、マーキングエンジンと、
前記印刷装置の前記本体内に位置し、前記マーキングエンジンに効果的に接続され、前記印刷装置の動作を制御する、プロセッサと、
前記印刷装置の前記本体に位置付けられ、前記プロセッサに効果的に接続され、前記扉および引き出しが開いているか、または、閉じているときに目に見える、外部グラフィック・ユーザ・インターフェース・ディスプレイと、
前記印刷装置の前記本体内に位置し、前記プロセッサに作動的に接続されており、前記非透過性の扉および引き出しが開いているときにのみ、見ることができるように位置付けられている、複数の内部グラフィック・ユーザ・インターフェース・ディスプレイと、
前記印刷装置の前記本体の前記内部領域に位置する複数の紙詰まり除去機構と、
を含み、前記外部グラフィック・ユーザ・インターフェース・ディスプレイおよび前記内部グラフィック・ユーザ・インターフェース・ディスプレイは、前記媒体経路内の詰まりを取り除くための命令を同時に与え、
前記複数の内部グラフィック・ユーザ・インターフェース・ディスプレイは、前記複数の紙詰まり除去機構それぞれに隣接する位置にあり、
前記プロセッサは、前記複数の内部グラフィック・ユーザ・インターフェース・ディスプレイのうち、ユーザが操作すべき１つの紙詰まり除去機構の最も近くに位置する１つの内部グラフィック・ユーザ・インターフェース・ディスプレイのみを動作させるよう制御する、
ことを特徴とする、印刷装置。
【請求項４】
印刷装置内の紙詰まりを自動的に検出するステップと、
前記印刷装置の本体において非透過性の扉および引き出しの少なくとも１つを開いて、前記印刷装置の前記本体の内部領域へのアクセスを提供するステップと、
命令を自動的に与えて、前記印刷装置の前記本体内の複数の内部グラフィック・ユーザ・インターフェース・ディスプレイを用いて前記紙詰まりを取り除くステップであって、前記内部グラフィック・ユーザ・インターフェース・ディスプレイは、前記非透過性の扉および引き出しが開いているときにのみ、見ることができるように位置付けられている、前記ステップと、
を含み、
前記命令は、前記複数の内部グラフィック・ユーザ・インターフェース・ディスプレイのうち、複数の紙詰まり除去機構のうちユーザが操作すべき１つの紙詰まり除去機構の最も近くに位置する１つの内部グラフィック・ユーザ・インターフェース・ディスプレイのみを動作させる制御命令を含み、
前記複数の紙詰まり除去機構は、前記印刷装置の前記本体の前記内部領域に位置し、
前記複数の内部グラフィック・ユーザ・インターフェース・ディスプレイは、前記複数の紙詰まり除去機構それぞれに隣接する位置にある、
ことを特徴とする方法。
【手続補正書】
【提出日】平成27年4月15日(2015.4.15)
【手続補正１】
【補正対象書類名】特許請求の範囲
【補正対象項目名】全文
【補正方法】変更
【補正の内容】
【特許請求の範囲】
【請求項１】
計算機式断層写真法（ＣＴ）システムにおいてＸ線ビームを成形する患者前置コリメータ（５０）であって、該患者前置コリメータ（５０）のアセンブリは、
第一の材料密度を有する第一の材料で構成された基材（５２）と、
該基材（５２）に機械的に結合されて、前記第一の材料密度よりも大きく高周波電磁エネルギを遮断するのに十分な第二の材料密度を有する成形可能な材料を含む第二の材料で構成された挿入材（５４）と
を備えており、
前記基材（５２）は、前記挿入材（５４）を当該基材（５２）に固着させて成形するための複数の構造的特徴（５６、５８、６０）を含んでおり、前記挿入材（５４）の前記成形可能な材料は前記複数の構造的特徴（５６、５８、６０）との接続を形成して、前記基材（５２）と当該挿入材（５４）とを機械的に結合する、患者前置コリメータ（５０）。
【請求項２】
前記基材（５２）の前記複数の構造的特徴（５６、５８、６０）は、
前記基材（５２）に形成された複数のアンダーカット（５６）と、
前記基材（５２）を通して形成されており、座ぐり穴（６０）を形成されて有する複数の孔（５８）と
を含んでいる、請求項１に記載の患者前置コリメータ（５０）。
【請求項３】
前記挿入材（５４）は、
前記基材（５２）に形成された前記アンダーカット（５６）と嵌合するように構成されている突起（６８）を各対向辺に有する面（６６）と、
該面（６６）から外向きに延在し、前記基材（５２）を通して形成された前記孔（５８）を通って延在するように構成されている複数のアンカ（７０）と
を含んでいる、請求項２に記載の患者前置コリメータ（５０）。
【請求項４】
前記複数のアンカ（７０）の各々が、前記面（６６）に対して末梢側の当該アンカ（７０）の端部に配置された円形フランジ（７４）をさらに含んでおり、各々の円形フランジ（７４）が前記基材（５２）のそれぞれの座ぐり穴（６０）に嵌合するように構成されている、請求項３に記載の患者前置コリメータ（５０）。
【請求項５】
前記基材（５２）及び前記挿入材（５４）は一つのコリメータ・ブレード（５１）を形成し、当該患者前置コリメータ（５０）は、開口（５３）を介設させて有する一対のコリメータ・ブレード（５１）を含んでいる請求項１乃至４のいずれかに記載の患者前置コリメータ（５０）。
【請求項６】
前記コリメータ・ブレード（５１）の少なくとも一方の位置が調節自在であるため、前記開口（５３）の寸法及び形状が、高周波電磁エネルギ・ビームが通過するのに伴って該高周波電磁エネルギ・ビームを成形するように可変となる、請求項５に記載の患者前置コリメータ（５０）。
【請求項７】
前記第一の材料はアルミニウム及び／又は鋼の一方を含んでいる、請求項１乃至６のいずれかに記載の患者前置コリメータ（５０）。
【請求項８】
前記第二の材料はタングステンを含浸させたプラスチックを含んでいる、請求項１乃至７のいずれかに記載の患者前置コリメータ（５０）。
【請求項９】
前記挿入材（５４）を前記基材（５２）に機械的に結合するための接着剤又は締結具を含まない請求項１乃至８のいずれかに記載の患者前置コリメータ（５０）。
【請求項１０】
前記挿入材（５４）は、被覆成形された挿入材及び射出成形された挿入材の一方を含んでいる、請求項１乃至９のいずれかに記載の患者前置コリメータ（５０）。
【手続補正書】
【提出日】平成27年6月12日(2015.6.12)
【手続補正１】
【補正対象書類名】特許請求の範囲
【補正対象項目名】全文
【補正方法】変更
【補正の内容】
【特許請求の範囲】
【請求項１】
データを読み出し、エラー情報を受信し、前記受信したエラー情報にしたがって前記読み出しデータを訂正するように構成された不揮発性メモリ装置と、
前記読み出しデータを受信するように構成されたインターフェイス、及び前記受信した読み出しデータのエラービット位置を決定して前記インターフェイスが前記決定されたエラービットの位置に前記エラー情報を出力するように構成された ユニットを有する制御器と、を含み、
前記エラー情報は、前記読み出しデータのビットに対応するビットを含み、前記エラー情報のビットは、前記読み出しデータのビットのエラーを示すビットを含み、前記読み出しデータの前記ビットの値は、前記エラー情報のビットの値にしたがって変更されるメモリシステム。
【請求項２】
前記不揮発性メモリ装置は、前記読み出しデータを前記制御器へ出力し、前記エラー情報を前記制御器から受信する請求項１に記載のメモリシステム。
【請求項３】
前記制御器は、前記エラー情報を前記不揮発性メモリ装置へ出力し、前記エラー情報は、前記読み出しデータの訂正されたデータと前記読み出しデータを包含しない請求項１に記載のメモリシステム。
【請求項４】
前記不揮発性メモリ装置は、ランダム化されたデータとして前記読み出しデータを前記制御器へ出力し、デランダム化されたデータとして前記エラー情報を前記制御器から受信する請求項１に記載のメモリシステム。
【請求項５】
前記不揮発性メモリ装置は、前記読み出しデータを前記制御器へ出力した後、そして前記エラー情報を前記制御器から受信して前記格納された読み出しデータが前記受信された読み出し情報にしたがって訂正される時に前記読み出しデータを格納するページバッファを含む請求項１に記載のメモリシステム。
【請求項６】
前記エラー情報は、前記読み出しデータの前記ビットの全てに対応しているわけではない請求項１に記載のメモリシステム。
【請求項７】
前記不揮発性メモリ装置は、変更されたビットとして前記受信したエラー情報の前記ビットの前記値に対応する前記ビットの前記値を変更し、訂正されたデータとして維持されたビットと前記変更されたビット格納する請求項１に記載のメモリシステム。
【請求項８】
データを出力する不揮発性メモリ装置と、
前記不揮発性メモリ装置から前記データを受信するように構成されたインターフェイス、及び前記受信したデータのエラービットの位置を決定して前記インターフェイスが前記決定されたエラービットの位置にエラー位置情報を出力するように構成されたユニットを有する制御器と、を含み、
前記不揮発性メモリ装置は、前記エラー位置情報にしたがって前記データを訂正するメモリシステム。
【請求項９】
前記制御器は、前記受信したデータをデランダム化させて前記受信したデータから前記エラービットの位置を決定し、ランダム化無しで前記情報を出力する請求項８に記載のメモリシステム。
【請求項１０】
前記制御器は、前記受信したデータをデランダム化させるランダム化器／デランダム化器を含み、前記制御器は、前記ランダム化器／デランダム化器が前記情報をランダム化することを防止する請求項８に記載のメモリシステム。
【手続補正書】
【提出日】平成27年8月10日(2015.8.10)
【手続補正１】
【補正対象書類名】特許請求の範囲
【補正対象項目名】全文
【補正方法】変更
【補正の内容】
【特許請求の範囲】
【請求項１】
第１のポートと第２のポートとを有するデュアルポートメモリを動作させる方法であって、該デュアルポートメモリは、単一ポートメモリ要素のアレイを含み、該方法は、
該第１のポートにおいて、第１のメモリアクセス要求と、関連付けられた第１のクロック信号とを受信することと、
該第２のポートにおいて、第２のメモリアクセス要求と、関連付けられた第２のクロック信号とを受信することと、
制御回路を用いて該第２のクロック信号の立ち上りクロックエッジを検出することに応答して、第３のクロック信号を生成し、かつ該第２のメモリアクセス要求にサービスを提供することと、
該第２のメモリアクセス要求がサービスを提供されている間に、該第３のクロック信号を用いて該第１のメモリアクセス要求をサンプリングすることと
を含む、方法。
【請求項２】
前記第３のクロック信号を用いて前記第１のメモリアクセス要求をサンプリングすることは、少なくとも２つの直列接続されたラッチを用いて該第３のクロック信号の立ち上りおよび立ち下りクロックエッジの時に該第１のメモリアクセス要求をサンプリングすることを含む、請求項１に記載の方法。
【請求項３】
前記第１のメモリアクセス要求をバッファー回路内に格納することをさらに含み、該バッファー回路は、前記少なくとも２つの直列接続されたラッチから制御信号を受信するように動作可能である、請求項２に記載の方法。
【請求項４】
前記バッファー回路を用いて前記第３のクロック信号を受信することをさらに含む、請求項３に記載の方法。
【請求項５】
前記デュアルポートメモリは、多重化回路を含み、該多重化回路は、前記少なくとも２つの直列接続されたラッチを介して前記第１のメモリアクセス要求を受信するように動作可能な第１の入力と、前記第２のメモリアクセス要求を受信するように動作可能な第２の入力と、前記制御回路から制御信号を受信するように動作可能な制御入力とを有する、請求項２に記載の方法。
【請求項６】
前記第１のメモリアクセス要求をバッファー回路内に格納することをさらに含む、請求項１に記載の方法。
【請求項７】
前記制御回路を用いて前記第２のクロック信号の前記立ち上りクロックエッジを検出することに応答して、前記単一ポートメモリ要素のアレイへのアクセスを制御するための第４のクロック信号を生成することをさらに含む、請求項１に記載の方法。
【請求項８】
前記第２のメモリアクセス要求が遂行されることに応答して、前記制御回路を用いて該第２のメモリアクセス要求の完了を表す制御信号を受信することと、
該制御回路を用いて該制御信号を受信することに応答して、前記第１のメモリアクセス要求にサービスを提供することと
をさらに含む、請求項１に記載の方法。
【請求項９】
第１のポートと第２のポートとを有するデュアルポートメモリを動作させる方法であって、該デュアルポートメモリは、単一ポートメモリ要素のアレイを含み、該方法は、
該第１のポートにおいて、第１のメモリアクセス要求と、関連付けられた第１のクロック信号とを受信することと、
該第２のポートにおいて、第２のメモリアクセス要求と、関連付けられた第２のクロック信号とを受信することと、
該第１のクロック信号が上昇することに応答して、該第１のメモリアクセス要求をバッファー内に一時的に格納することと、
制御回路を用いて該第２のクロック信号の立ち上りクロックエッジを検出することに応答して、該第１のメモリアクセス要求が該バッファー内に格納されている間に、該第２のメモリアクセス要求にサービスを提供することと
を含む、方法。
【請求項１０】
前記第２のクロック信号の前記立ち上りクロックエッジを検出することに応答して、前記制御回路を用いて第３のクロック信号をトリガーすることをさらに含む、請求項９に記載の方法。
【請求項１１】
同期化回路を用いて前記第３のクロック信号を受信することであって、該同期化回路は、少なくとも２つのラッチを含む、ことと、
前記バッファーを用いて該第３のクロック信号を受信することと
をさらに含む、請求項１０に記載の方法。
【請求項１２】
前記少なくとも２つのラッチは、前記第３のクロック信号の立ち上りクロックエッジの時にデータをラッチするように構成された正エッジトリガー型ラッチと、該第３のクロック信号の立ち下りクロックエッジの時にデータをラッチするように構成された負エッジトリガー型ラッチと含む、請求項１１に記載の方法。
【請求項１３】
前記バッファーを用いて前記同期化回路から制御信号を受信することをさらに含む、請求項１１に記載の方法。
【請求項１４】
前記同期化回路を用いて前記第１のメモリアクセス要求をラッチすることと、
該第１のメモリアクセス要求が該同期化回路を用いてラッチされた後に、該第１のメモリアクセス要求を前記バッファーから除去することと
をさらに含む、請求項１１に記載の方法。
【請求項１５】
前記バッファーは、ファーストインファーストアウト回路を含む、請求項９に記載の方法。
【請求項１６】
第１のポートと第２のポートとを有するデュアルポートメモリであって、該デュアルポートメモリは、
単一ポートメモリ要素のアレイと、
第１のメモリアクセス要求と、該第１のポートに関連付けられた第１のクロック信号とを受信するように動作可能な第１の入力ラッチと、
第２のメモリアクセス要求と、該第２のポートに関連付けられた第２のクロック信号とを受信するように動作可能な第２の入力ラッチであって、該第２のクロック信号は、該第１のクロック信号と異なる、第２の入力ラッチと、
該第１のクロック信号を受信せず、該第２のクロック信号を受信するように動作可能な制御回路であって、該制御回路は、該第１のメモリアクセス要求および該第２のメモリアクセス要求のうちのいずれが遂行のために選択されるべきであるかを決定する制御信号を生成するようにさらに動作可能である、制御回路と、
該第１の入力ラッチから該第１のメモリアクセス要求を受信するように動作可能な第１の入力と、該第２の入力ラッチから該第２のメモリアクセス要求を受信するように動作可能な第２の入力と、該制御回路から該制御信号を受信するように動作可能な制御入力とを有する多重化回路と
を含む、デュアルポートメモリ。
【請求項１７】
前記第１の入力ラッチと前記多重化回路の前記第１の入力との間に連結されたバッファーをさらに含む、請求項１６に記載のデュアルポートメモリ。
【請求項１８】
前記バッファーと前記多重化回路の前記第１の入力との間に連結された正エッジトリガー型ラッチおよび負エッジトリガー型ラッチをさらに含む、請求項１７に記載のデュアルポートメモリ。
【請求項１９】
前記バッファーは、ファーストインファーストアウト回路を含む、請求項１７に記載のデュアルポートメモリ。
【手続補正書】
【提出日】平成27年4月8日(2015.4.8)
【手続補正１】
【補正対象書類名】明細書
【補正対象項目名】０００２
【補正方法】変更
【補正の内容】
【０００２】
従来より、天井吊ボルトが通されるボルト通孔が形成された本体を有する器具本体と、器具本体に取付けられて支持される光源を点灯させる点灯装置と、を備えた照明器具が知られている（例えば、特許文献１参照）。
特許文献１は、埋め込み孔の縁部に下方から引っ掛かる天井係止端部を有して埋込孔に通される一対のベース部材と、ベース部材に上下に回転可能に連結されて両ベース部材にわたって設けられているとともに器具本体を支持する本体支持部材と、を備えている。
そして、特許文献１は、本体支持部が回転されることにより器具本体を相対的に低い位置と高い位置とに支持する複数の設置装置と、光源を内側に配して器具本体の下方に配置されるとともに天井係止端部を覆うカバー部を有した制光装置と、を備えている。
また、特許文献２には、光源としてＬＥＤを備えた光源ブロックＬと、光源ブロックＬを点灯させる点灯装置５と、放熱性を有するとともに光源ブロックＬが下面部に点灯装置５が上面部に取り付けられる取付板２と、取付板２の上面側に配置されて外部電源の電源線が接続されるとともに、一端が点灯装置５に接続された電源線Ｓ２が接続される端子台８と、取付板２の上面側に配置される放熱性を有する取付部１１と、吊りボルトＢにより固定され、光源ブロックＬ、点灯装置５、取付板２、端子台８および取付部１１を収納し、かつ下方の開口１ｆから取付板２が着脱自在に取り付けられる器具本体１と、を備える、放熱性が向上された天井埋込型のＬＥＤ照明器具が示されている。器具本体１の天板部１ｂには電源線挿通孔１ｅが設けられ、電源線は、電源線挿通孔１ｅを経由して器具本体１の内部から外部へと引き出される。
また、特許文献３には、器具本体２と、光源としてのＬＥＤ５が内装された略球状の灯具３と、灯具３の上部に当接して灯具３の照射方向を可変自在に押さえる板バネ状の弾性体４と、を備える照明器具が示されている。灯具３は、放熱部（放熱フィン）が形成された略半球状の上部材３１と、ＬＥＤ５の出射光を集光させるレンズと、光反射リフレクタ等を備えた略半球状の下部材３２とを備え、器具本体２は、灯具３の径より小径の内周円をなす円形開口２１と、天井壁等の造営材６に当接されるフランジ部２２と、を備える。灯具３には電源線７が接続され、電源線７は、弾性体４の押さえ部４２の上面にアタッチメント４６により固定される。
【手続補正２】
【補正対象書類名】明細書
【補正対象項目名】０００３
【補正方法】変更
【補正の内容】
【０００３】
【特許文献１】特開２００９−１４６８１８号公報（図１、請求項１）
【特許文献２】特開２００６−１７２８９５号公報（図１、図２（ａ）、（ｂ）、図３、図４、図６、段落００２１、００２２、００２４、００２５、００３５、００３７）
【特許文献３】特開２００５−１４９７９０号公報（図１、図３、図４〜図６、段落００１３、００１４、００１５、００１７、００２０）
【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
入力トランジスタを備えるデジタル入力検出器と、
出力が可変供給電圧を前記デジタル入力検出器に付与する適応型電源と
を備え、
前記適応型電源により前記デジタル入力検出器に付与される前記可変供給電圧が、前記入力トランジスタのしきい値電圧の変動にかかわらず入力信号の予測される論理レベルの関数として決定される設定点値を維持するために前記入力トランジスタの前記しきい値電圧によって変動する装置。
【請求項２】
前記入力トランジスタが、前記予測される論理レベルを有する入力信号に対して、前記しきい値電圧に、または前記しきい値電圧の近くにバイアスされるように、前記設定点値が選択される、請求項１に記載の装置。
【請求項３】
前記入力トランジスタが、ソースが前記適応型電源の前記出力に結合され、ドレインが低い方の供給電位に結合され、ゲートが前記デジタル入力検出器の入力ノードに結合される第１のＰＭＯＳトランジスタを備え、前記第１のＰＭＯＳトランジスタの前記ドレインが、前記デジタル入力検出器の第１の出力ノードにさらに結合される、請求項１に記載の装置。
【請求項４】
前記デジタル入力検出器が、それぞれのドレインが前記第１のＰＭＯＳトランジスタの前記ソースに結合され、それぞれのソースが前記適応型電源の前記出力に結合される、第２および第３のＰＭＯＳトランジスタを少なくとも備える、入力レベル・ヒステリシス回路網をさらに備え、前記第２のＰＭＯＳトランジスタのゲートが、前記第１のＰＭＯＳトランジスタの前記ソースにさらに結合され、前記第３のＰＭＯＳトランジスタのゲートが、前記デジタル入力検出器の第２の出力ノードに結合される、請求項３に記載の装置。
【請求項５】
前記デジタル入力検出器が、それぞれのゲートが前記第１のＰＭＯＳトランジスタの前記ゲートに結合される、第１および第２のＮＭＯＳトランジスタをさらに備え、前記第１のＮＭＯＳトランジスタのドレインが、前記第１のＰＭＯＳトランジスタの前記ドレインに結合され、前記第２のＮＭＯＳトランジスタのドレインが、前記第１のＮＭＯＳトランジスタのソースに結合され、前記第２のＮＭＯＳトランジスタのソースが、前記低い方の供給電位に結合される、請求項３に記載の装置。
【請求項６】
入力トランジスタを備えるデジタル入力検出器と、
出力が可変供給電圧を前記デジタル入力検出器に付与する適応型電源と
を備え、
前記適応型電源により前記デジタル入力検出器に付与される前記可変供給電圧が、入力信号の予測される論理レベルの関数として決定される設定点値の付近で、前記入力トランジスタのしきい値電圧によって変動する装置であって、
前記設定点値が、最小の予測される論理ハイ入力信号レベル、および前記入力トランジスタの前記しきい値電圧の関数として決定される装置。
【請求項７】
前記設定点値が、前記最小の予測される論理ハイ入力信号レベルと、前記入力トランジスタの前記しきい値電圧との和として決定される、請求項６に記載の装置。
【請求項８】
入力トランジスタを備えるデジタル入力検出器と、
出力が可変供給電圧を前記デジタル入力検出器に付与する適応型電源と
を備え、
前記適応型電源により前記デジタル入力検出器に付与される前記可変供給電圧が、前記入力トランジスタのしきい値電圧によって変動する装置であって、
前記適応型電源が、
第１の入力および第２の入力および出力を有し、前記第１の入力が基準電圧源に結合され、前記出力が前記可変供給電圧を前記デジタル入力検出器に付与する、演算増幅器と、
前記デジタル入力検出器の前記入力トランジスタの１つまたは複数の対応するパラメータ変動特性と実質的に整合される、１つまたは複数のパラメータ変動特性を有し、ソースが前記演算増幅器の前記出力に結合され、ゲートおよびドレインが相互に結合される、適応型電源トランジスタと、
直列に接続される第１および第２の抵抗要素を備え、前記第１および第２の抵抗要素の前記直列接続の第１の端部が、前記適応型電源トランジスタの前記ゲートおよびドレインに結合され、前記第１および第２の抵抗要素の前記直列接続の第２の端部が、低い方の供給電位に結合され、前記第１および第２の抵抗要素の間のタップが、フィードバック線を介して前記演算増幅器の前記第２の入力に結合される、分圧回路と
を備える装置。
【請求項９】
入力トランジスタを備えるデジタル入力検出器を用意するステップと、
可変供給電圧を前記デジタル入力検出器に用意するステップと
を含み、
前記デジタル入力検出器に付与される前記可変供給電圧が、前記入力トランジスタのしきい値電圧の変動にかかわらず入力信号の予測される論理レベルの関数として決定される設定点値を維持するために前記入力トランジスタの前記しきい値電圧によって変動する方法。
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
フューザー部材を製造する方法であって、
基材上に配置された弾性層を備えるフューザー部材を得ることと、
フッ素含有粒子、エアロゲル粒子、ポリ（アルキレンカーボネート）の粉末を前記弾性層の上にスプレーコーティングして被覆層を形成することと、
前記被覆層を約３００℃〜約３８０℃の温度で加熱して、前記ポリ（アルキレンカーボネート）を分解し、剥離層を作成することと、
を含む、製造方法。
【請求項２】
前記フッ素含有粒子は、ポリテトラフルオロエチレン；ペルフルオロアルコキシポリマー樹脂；テトラフルオロエチレンとヘキサフルオロプロピレンとのコポリマー；ヘキサフルオロプロピレンとフッ化ビニリデンとのコポリマー；テトラフルオロエチレン、フッ化ビニリデン、およびヘキサフルオロプロピレンのターポリマー；テトラフルオロエチレン、フッ化ビニリデン、ヘキサフルオロプロピレン、およびキュアサイトモノマーのテトラポリマー、およびこれらの混合物からなる群から選択される、請求項１に記載の製造方法。
【請求項３】
前記ポリ（アルキレンカーボネート）が、ポリ（プロピレンカーボネート）、ポリ（エチレンカーボネート）、ポリ（ブチレンカーボネート）、およびポリ（シクロヘキセンカーボネート）からなる群から選択される、請求項１又は２に記載の製造方法。
【請求項４】
カーボンブラック、カーボンナノチューブ、グラファイト、金属酸化物、ドープされた金属酸化物、ポリアニリン、ポリチオフェン、ポリアセチレン、ポリ（ｐ−フェニレンビニレン）、ポリ（ｐ−フェニレンスルフィド）、ポリピロール、ポリインドール、ポリピレン、ポリカルバゾール、ポリアズレン、ポリアゼピン、ポリ（フッ素）、ポリナフタレン、有機スルホン酸の塩、アンモニウム塩またはホスホニウム塩、およびこれらの混合物からなる群から選択されるフィラーをさらに含む、請求項１〜３のいずれか１項に記載の製造方法。
【請求項５】
前記弾性層が、シリコーンゴム、高温加硫シリコーンゴム、低温加硫シリコーンゴム、液体シリコーンゴム、およびシロキサンからなる群から選択される材料を含む、請求項１〜４のいずれか１項に記載の製造方法。
【請求項６】
前記エアロゲル粒子が、シリカ、炭素、アルミナ、チタニアおよびジルコニアからなる群から選択される材料を含む、請求項１〜５のいずれか１項に記載の製造方法。
【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
ヒドロキシル基含有ビニルエーテルのホモポリマー又はランダム共重合体の製造方法であって、
下記式（１）：
【化１】
2013166829.tif 000001
（式中、Ｒ１は炭素数１〜１０の脂肪族炭化水素基又は炭素数３〜７のアルコキシアルキル基を表し、分岐していても、環状構造を含んでいてもよく、ｎは１〜５である。）
で示される少なくとも１種のヒドロキシル基含有ビニルエーテルを、無溶媒又は溶媒存在下、油溶性ラジカル重合開始剤を用いて重合させる工程を含んでなる、製造方法。
【請求項２】
前記油溶性ラジカル重合開始剤が、有機過酸化物又は有機アゾ系化合物である、請求項１に記載の製造方法。
【請求項３】
前記ホモポリマー又はランダム共重合体は、重量平均分子量（Ｍｗ）が、１０００〜１０００００の範囲内である、請求項１又は２に記載の製造方法。
【請求項４】
前記ホモポリマー又はランダム共重合体中のポリアセタールの含有率が、１０質量％以下である、請求項１〜３のいずれか一項に記載の製造方法。
【請求項５】
前記溶媒が、水であるか、又は少なくとも１種の水可溶性有機溶剤を含む有機溶剤である、請求項１〜４のいずれか一項に記載の製造方法。
【請求項６】
前記水可溶性有機溶剤が、アルコール、アルキルアミド、アルキルスルホキシド、及びケトンからなる群から選択される、請求項５に記載の製造方法。
【請求項７】
前記ホモポリマー又はランダム共重合体が、熱刺激応答性ポリマーである、請求項１〜６のいずれか一項に記載の製造方法。
【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
セルロースナノファイバー（Ａ）、熱可塑性樹脂（Ｂ）及びＨＬＢ値が８〜１３であるエーテル型ノニオン界面活性剤（Ｃ）を含む分散液。
【請求項２】
前記セルロースナノファイバー（Ａ）が、染色されたものである、請求項１に記載の分散液。
【請求項３】
前記熱可塑性樹脂（Ｂ）が、ポリプロピレン、ポリエチレン及びポリアミドよりなる群から選ばれる少なくとも１種である、請求項１又は２に記載の分散液。
【請求項４】
前記エーテル型ノニオン界面活性剤（Ｃ）が、ポリオキシエチレンアルキルエーテル及びポリオキシエチレンアルキルフェノラートよりなる群から選ばれる少なくとも１種である、請求項１〜３のいずれかに記載の分散液。
【請求項５】
前記エーテル型ノニオン界面活性剤（Ｃ）が、ポリオキシエチレンアルキルエーテル、ポリオキシエチレンアルキルフェニルエーテル及びポリオキシエチレンポリオキシプロピレングリコールよりなる群から選ばれる少なくとも１種である、請求項１〜３のいずれかに記載の分散液。
【請求項６】
前記エーテル型ノニオン界面活性剤（Ｃ）が、ポリオキシエチレンのモル数が４〜９のポリオキシエチレンノニルフェニルエーテルである、請求項１〜３のいずれかに記載の分散液。
【請求項７】
請求項１〜６のいずれかに記載の分散液から得られる樹脂組成物。
【請求項８】
（１）セルロースナノファイバー（Ａ）を染色する工程、
（２）分散媒（Ｄ）中で、工程１において染色されたセルロースナノファイバー（Ａ１）、熱可塑性樹脂（Ｂ）及びＨＬＢ値が８〜１３であるエーテル型ノニオン界面活性剤（Ｃ）を混合し、分散液を調製する工程、及び
（３）前記分散液から分散媒を除去する工程
を含む樹脂組成物の製造方法。
【請求項９】
前記分散媒（Ｄ）が、水又は水を含む水性分散媒（Ｄ１）である、請求項８に記載の樹脂組成物の製造方法。
【請求項１０】
前記分散媒（Ｄ）が、水及び親水性有機溶媒を含む分散媒である、請求項８又は９に記載の樹脂組成物の製造方法。
【請求項１１】
（１）分散媒（Ｄ）中にセルロースナノファイバー（Ａ）及び熱可塑性樹脂（Ｂ）を添加する工程、及び
（２）ＨＬＢ値が８〜１３であるエーテル型ノニオン界面活性剤（Ｃ）を添加する工程
を順に有する分散液の製造方法。
【手続補正書】
【提出日】平成27年1月7日(2015.1.7)
【手続補正１】
【補正対象書類名】特許請求の範囲
【補正対象項目名】全文
【補正方法】変更
【補正の内容】
【特許請求の範囲】
【請求項１】
偏光板を構成する偏光子と保護フィルムとの接着に使用される紫外線硬化型組成物を用いて得られた接着剤であって、前記紫外線硬化型組成物が、水酸基を有しない（メタ）アクリルアミド化合物（Ａ）、水酸基を有する（メタ）アクリル酸アルキルエステル化合物（Ｂ）、及び光重合開始剤（Ｃ）を含有し、前記化合物（Ａ）と前記化合物（Ｂ）の質量比［（Ａ）／（Ｂ）］が、５０／５０〜９０／１０の範囲であることを特徴とする接着剤。
【請求項２】
前記化合物（Ａ）が、Ｎ，Ｎ−ジメチルアクリルアミド及びＮ，Ｎ−ジエチルアクリルアミドからなる群より選ばれる１種以上である請求項１に記載の接着剤。
【請求項３】
前記化合物（Ｂ）が、２−ヒドロキシエチルアクリレート、４−ヒドロキシブチルアクリレート及びグリセリンモノアクリレートからなる群より選ばれる１種以上である請求項１に記載の接着剤。
【請求項４】
保護フィルムと偏光子とが接着剤を介して接着された偏光板であって、前記接着剤が請求項１〜３の何れか一項に記載の接着剤であることを特徴とする偏光板。
【手続補正書】
【提出日】平成27年2月16日(2015.2.16)
【手続補正１】
【補正対象書類名】明細書
【補正対象項目名】０１３０
【補正方法】変更
【補正の内容】
【０１３０】
本発明は、電磁弁、制御弁、ガス開閉弁、ガスシール、水制御バルブ等の種々のバルブ、オイルシール、ガスケット、Ｏリング、電子用パッキン材、ハードディスクドライブ（ＨＤＤ）用の衝撃吸収ストッパー、燃料キャップガスケット、オイルレベルゲージ等に好適に適用できる。
本開示は以下も包含する。
［１］  ペルフルオロオレフィン単位もしくは部分フルオロ化オレフィン単位またはこれらの組合せを含む重合体、
融点２００℃以上３００℃以下を有するポリテトラフルオロエチレン、および
架橋剤もしくは架橋促進剤またはこれらの組合せ、
を含む、フルオロポリマー組成物。
［２］  該ポリテトラフルオロエチレンが、数平均分子量６００以上４０００以下を有する、上記態様１に記載のフルオロポリマー組成物。
［３］  該重合体１００質量部に対し、該ポリテトラフルオロエチレン０．１質量部以上６０質量部以下を含有する、上記態様１または２に記載のフルオロポリマー組成物。
［４］  該重合体が、全単量体単位１００モル％基準で、
テトラフルオロエチレン単位、ヘキサフルオロプロピレン単位およびフッ化ビニリデン単位からなる群から選択される１種以上の単量体単位：１０モル％以上１００モル％以下、
を含む、上記態様１または２に記載のフルオロポリマー組成物。
［５］  該重合体が、全単量体単位１００モル％基準で、
テトラフルオロエチレン単位、ヘキサフルオロプロピレン単位およびフッ化ビニリデン単位からなる群から選択される１種以上の単量体単位：１０モル％以上９９．７モル％以下、ならびに
ペルフルオロビニルエーテル単位およびオレフィン単位から選択される１種以上の単量体単位：０.３モル％以上９０モル％以下
を含む、上記態様１または２に記載のフルオロポリマー組成物。
［６］  上記態様１〜５のいずれか１つに記載のフルオロポリマー組成物の硬化物を含む成形品であって、表面にポリテトラフルオロエチレン層を有する、成形品。
［７］  上記態様１〜５のいずれか１つに記載のフルオロポリマー組成物を該ポリテトラフルオロエチレンの融点よりも低い温度で加熱処理することによって硬化物を形成すること、および
該硬化物をポリテトラフルオロエチレンの融点以上の温度で加熱処理することによって、表面にポリテトラフルオロエチレン層を有する成形品を形成すること、
を含む、成形品の製造方法。
【手続補正２】
【補正対象書類名】特許請求の範囲
【補正対象項目名】全文
【補正方法】変更
【補正の内容】
【特許請求の範囲】
【請求項１】
ペルフルオロオレフィン単位もしくは部分フルオロ化オレフィン単位またはこれらの組合せを含み、架橋点を有する、重合体、
融点２００℃以上３００℃以下を有するポリテトラフルオロエチレン、および
架橋剤もしくは架橋促進剤またはこれらの組合せ、
を含む、フルオロポリマー組成物。
【請求項２】
該ポリテトラフルオロエチレンが、数平均分子量６００以上４０００以下を有する、請求項１に記載のフルオロポリマー組成物。
【請求項３】
該重合体１００質量部に対し、該ポリテトラフルオロエチレン０．１質量部以上６０質量部以下を含有する、請求項１または２に記載のフルオロポリマー組成物。
【請求項４】
該重合体が、全単量体単位１００モル％基準で、
テトラフルオロエチレン単位、ヘキサフルオロプロピレン単位およびフッ化ビニリデン単位からなる群から選択される１種以上の単量体単位：１０モル％以上１００モル％以下、
を含む、請求項１または２に記載のフルオロポリマー組成物。
【請求項５】
該重合体が、全単量体単位１００モル％基準で、
テトラフルオロエチレン単位、ヘキサフルオロプロピレン単位およびフッ化ビニリデン単位からなる群から選択される１種以上の単量体単位：１０モル％以上９９．７モル％以下、ならびに
ペルフルオロビニルエーテル単位およびオレフィン単位から選択される１種以上の単量体単位：０.３モル％以上９０モル％以下
を含む、請求項１または２に記載のフルオロポリマー組成物。
【請求項６】
請求項１〜５のいずれか１項に記載のフルオロポリマー組成物の硬化物を含む成形品であって、表面にポリテトラフルオロエチレン層を有する、成形品。
【請求項７】
請求項１〜５のいずれか１項に記載のフルオロポリマー組成物を該ポリテトラフルオロエチレンの融点よりも低い温度で加熱処理することによって硬化物を形成すること、および
該硬化物をポリテトラフルオロエチレンの融点以上の温度で加熱処理することによって、表面にポリテトラフルオロエチレン層を有する成形品を形成すること、
を含む、成形品の製造方法。
【手続補正書】
【提出日】平成27年4月20日(2015.4.20)
【手続補正１】
【補正対象書類名】特許請求の範囲
【補正対象項目名】全文
【補正方法】変更
【補正の内容】
【特許請求の範囲】
【請求項１】
遊技機に対応して設けられ、当該対応する遊技機を動作させるための遊技用装置に搭載される、所定の処理を行う第１の制御装置と、前記所定の処理とは異なる処理を行う第２の制御装置と、のそれぞれに情報を書き込む書込システムであって、
前記第１の制御装置に対して情報を書き込む第１の書込装置と、
前記第２の制御装置に対して情報を書き込む第２の書込装置と、を備え、
前記第１の書込装置は、前記第１の制御装置に予め記録されている所定情報を読み取る読取手段と、前記読取手段が読み取った前記所定情報を前記第２の書込装置に送信する送信手段と、を備え、
前記第２の書込装置は、前記送信手段から送信された前記所定情報を前記第２の制御装置に対して書き込む書込手段を備える、
ことを特徴とする書込システム。
【請求項２】
遊技機に対応して設けられ、当該対応する遊技機を動作させるための遊技用装置に搭載される、所定の処理を行う第１の制御装置に情報を書き込む書込装置であって、
前記第１の制御装置に予め記録されている所定情報を読み取る読取手段と、
前記読取手段が読み取った前記所定情報を、前記所定の処理とは異なる処理を行う第２の制御装置に対して情報を書き込む他の書込装置に送信する送信手段と、を備える、
ことを特徴とする書込装置。
【請求項３】
遊技機に対応して設けられ、当該対応する遊技機を動作させるための遊技用装置に搭載される、所定の処理を行う第２の制御装置に情報を書き込む書込装置であって、
前記所定の処理とは異なる処理を行う第１の制御装置に情報を書き込む他の書込装置が前記第１の制御装置から読み取って送信する、前記第１の制御装置に予め記録されている所定情報を取得する取得手段と、
前記取得手段が取得した前記所定情報を前記第２の制御装置に対して情報を書き込む書込手段と、を備える、
ことを特徴とする書込装置。
【手続補正２】
【補正対象書類名】明細書
【補正対象項目名】０００７
【補正方法】変更
【補正の内容】
【０００７】
（１）上記目的を達成するため、本発明に係る書込システムは、
遊技機に対応して設けられ、当該対応する遊技機を動作させるための遊技用装置（例えば、カードユニット２０など）に搭載される、所定の処理（例えば、パチンコ機１０との通信処理（ステップＣ２７）など）を行う第１の制御装置（例えば、通信制御IC２３など）と、前記所定の処理とは異なる処理（例えば、パチンコ機１０に搭載された主制御チップ１３などの認証要求を行う処理（ステップＣ３１）など）を行う第２の制御装置（例えば、セキュリティチップ２２など）と、のそれぞれに情報を書き込む書込システム（例えば、遊技用システム１など）であって、
前記第１の制御装置に対して情報を書き込む第１の書込装置（例えば、通信制御IC用ライター６１０など）と、
前記第２の制御装置に対して情報を書き込む第２の書込装置（例えば、セキュリティチップ用ライター６５０など）と、を備え、
前記第１の書込装置は、前記第１の制御装置に予め記録されている所定情報（例えば、認証用情報A２など）を読み取る読取手段（例えば、ステップＡ１０で認証用情報A２を読み取る制御部６１１など）と、前記読取手段が読み取った前記所定情報を前記第２の書込装置に送信する送信手段（例えば、ステップＡ１１で認証用情報A２を送信する制御部６１１など）と、を備え、
前記第２の書込装置は、前記送信手段から送信された前記所定情報を前記第２の制御装置に対して書き込む書込手段（例えば、ステップＡ１６で認証用情報A２を書き込む制御部６５１など）を備える、
ことを特徴とする。
【手続補正３】
【補正対象書類名】明細書
【補正対象項目名】０００９
【補正方法】変更
【補正の内容】
【０００９】
（２）上記目的を達成するため、本発明に係る書込装置は、
遊技機に対応して設けられ、当該対応する遊技機を動作させるための遊技用装置（例えば、カードユニット２０など）に搭載される、所定の処理（例えば、パチンコ機１０との通信処理（ステップＣ２７）など）を行う第１の制御装置（例えば、通信制御IC２３など）に情報を書き込む書込装置（例えば、通信制御IC用ライター６１０など）であって、
前記第１の制御装置に予め記録されている所定情報（例えば、認証用情報A２など）を読み取る読取手段（例えば、ステップＡ１０で認証用情報A２を読み取る制御部６１１など）と、
前記読取手段が読み取った前記所定情報を、前記所定の処理とは異なる処理（例えば、パチンコ機１０に搭載された主制御チップ１３などの認証要求を行う処理（ステップＣ３１）など）を行う第２の制御装置（例えば、セキュリティチップ２２など）に対して情報を書き込む他の書込装置（例えば、セキュリティチップ用ライター６５０など）に送信する送信手段（例えば、ステップＡ１１で認証用情報A２を送信する制御部６１１など）と、を備える、
ことを特徴とする。
【手続補正４】
【補正対象書類名】明細書
【補正対象項目名】００１１
【補正方法】変更
【補正の内容】
【００１１】
（３）上記目的を達成するため、本発明に係る書込装置は、
遊技機に対応して設けられ、当該対応する遊技機を動作させるための遊技用装置（例えば、カードユニット２０など）に搭載される、所定の処理（例えば、パチンコ機１０に搭載された主制御チップ１３などの認証要求を行う処理（ステップＣ３１）など）を行う第２の制御装置（例えば、セキュリティチップ２２など）に情報を書き込む書込装置（例えば、セキュリティチップ用ライター６５０など）であって、
前記所定の処理とは異なる処理（例えば、パチンコ機１０との通信処理（ステップＣ２７）など）を行う第１の制御装置（例えば、通信制御IC２３など）に情報を書き込む他の書込装置（例えば、通信制御IC用ライター６１０など）が前記第１の制御装置から読み取って送信する、前記第１の制御装置に予め記録されている所定情報（例えば、認証用情報A２など）を取得する取得手段（例えば、ステップＡ１１で認証用情報A２を受信する制御部６５１など）と、
前記取得手段が取得した前記所定情報を前記第２の制御装置に対して情報を書き込む書込手段（例えば、ステップＡ１６で認証用情報A２を書き込む制御部６５１など）と、を備える、
ことを特徴とする。
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
クラウン部及びクラウン部の長手方向の両端から一の方向に略平行となるように折り曲げられて構成される一対の脚部を備えた軟質素材で非金属材料から成るステープルで綴じ対象物を綴じるステープラであって、
前記ステープルの前記クラウン部の長さに応じた間隔で対向する一対の抜き刃を有し、一対の前記抜き刃を綴じ対象物に挿抜する動作で綴じ対象物に孔部を形成し、前記ステープルの一対の前記脚部を綴じ対象物に貫通させる貫通手段を備え、
前記抜き刃は、一対の前記抜き刃の間隔が、綴じ対象物に孔部を形成する刃部が設けられた先端側が狭く形成され、
一対の前記抜き刃の内側の面には、先端側から基端側に向けて内幅が広がる形状の段差を設けて、前記ステープルの前記脚部を支持するステープル支持部を備えると共に、
一対の前記抜き刃の外側の面には、先端側から基端側に向けて外幅が広がる形状の段差を設けて、前記抜き刃が綴じ対象物を貫通する動作で、綴じ対象物を貫通する孔部を外側方向に広げる孔拡張部を備えた
ことを特徴とするステープラ。
【請求項２】
前記抜き刃は、前記ステープル支持部より先端側では、一対の前記抜き刃の内側の面が、前記抜き刃の挿抜方向に対して真直状に延在すると共に、前記孔拡張部より先端側では、一対の前記抜き刃の外側の面が、前記抜き刃の挿抜方向に対して真直状に延在する第１の貫通部と、
前記ステープル支持部より基端側では、一対の前記抜き刃の内側の面が、前記抜き刃の挿抜方向に対して真直状に延在すると共に、前記孔拡張部より基端側では、一対の前記抜き刃の外側の面が、前記抜き刃の挿抜方向に対して真直状に延在する第２の貫通部とを備えた
ことを特徴とする請求項１に記載のステープラ。
【請求項３】
綴じ対象物を貫通した一対の前記抜き刃の内側に、前記抜き刃の内側方向への変位を規制する抜き刃ガイドを、前記第１の貫通部の間隔に合わせて備えた
ことを特徴とする請求項２に記載のステープラ。
【請求項４】
前記抜き刃の前記第１の貫通部が綴じ対象物を貫通した後に、前記抜き刃ガイドを前記抜き刃の間から退避させるガイド駆動手段を備えた
ことを特徴とする請求項３に記載のステープラ。
【請求項５】
前記ステープルは、略真直状で帯状に連結された形態で一体に構成された連結ステープルとして供給され、先頭に位置するステープルを押し出して綴じ対象物に貫通させる前記貫通手段の動作と連動して、連結ステープルから次位のステープルを切断し、切断された次位のステープルを成型する切断・成型手段と、
先頭に位置するステープルが押し出された前記貫通手段に、連結ステープルから切断されて成型された次位のステープルを搬送すると共に、次位のステープルが前記貫通手段に搬送された前記切断・成型手段に、連結ステープルを搬送する搬送手段を備えた
ことを特徴とする請求項１〜請求項４の何れか１項に記載のステープラ。
【請求項６】
前記連結ステープルは、複数のステープルが長手方向と平行に並列される形態で、各ステープルの長手方向の両端部の近傍が、一対の連結部によって互いに連結され、並列されたステープルを連結する一対の前記連結部の内側に、各連結部に隣接してそれぞれ孔部が設けられ、それぞれの前記孔部の間に、並設されたステープル同士が切り離されているスリット部が設けられ、
前記切断・成型手段は、斜めの刃先が互いに逆方向の外側を向くように配された一対の切断刃を有し、並設されたステープルを連結した一方の前記連結部と他方の前記連結部の各々に対して、各ステープルの内側から外側に向けて、前記連結部に隣接するそれぞれの前記孔部から前記連結部へ、前記切断刃の各々の刃部をそれぞれ反対方向に押し当て、前記各連結部を切断する
ことを特徴とする請求項５に記載のステープラ。
【手続補正２】
【補正対象書類名】明細書
【補正対象項目名】０００９
【補正方法】変更
【補正の内容】
【０００９】
上述した課題を解決するため、本発明は、クラウン部及びクラウン部の長手方向の両端から一の方向に略平行となるように折り曲げられて構成される一対の脚部を備えた軟質素材で非金属材料から成るステープルで綴じ対象物を綴じるステープラであって、ステープルのクラウン部の長さに応じた間隔で対向する一対の抜き刃を有し、一対の抜き刃を綴じ対象物に挿抜する動作で綴じ対象物に孔部を形成し、ステープルの一対の脚部を綴じ対象物に貫通させる貫通手段を備え、抜き刃は、一対の抜き刃の間隔が、綴じ対象物に孔部を形成する刃部が設けられた先端側が狭く形成され、一対の抜き刃の内側の面には、先端側から基端側に向けて内幅が広がる形状の段差を設けて、ステープルの脚部を支持するステープル支持部を備えると共に、一対の抜き刃の外側の面には、先端側から基端側に向けて外幅が広がる形状の段差を設けて、抜き刃が綴じ対象物を貫通する動作で、綴じ対象物を貫通する孔部を外側方向に広げる孔拡張部を備えたステープラである。